【手続補正書】
【提出日】平成18年1月30日(2006.1.30)
【手続補正１】
【補正対象書類名】明細書
【補正対象項目名】発明の名称
【補正方法】変更
【補正の内容】
【発明の名称】通信装置、プログラムおよび記憶媒体
【手続補正２】
【補正対象書類名】明細書
【補正対象項目名】特許請求の範囲
【補正方法】変更
【補正の内容】
【特許請求の範囲】
【請求項１】
所定の通信制御手順により通信する通信制御手段と、
前記通信制御手段により行われた通信に関する通信情報を通信毎に記憶する記憶手段と、
前記記憶手段に記憶された通信情報を出力する出力手段と、
前記通信情報の通信結果が不達となった宛先がある場合に出力される不達レポートの出力内容の設定を行う出力設定手段と、
前記記憶手段に記憶された通信情報の中から指定された情報を含む宛先情報を検出する検出手段と、
前記通信情報の通信結果に不達があるかを検出する不達検出手段と、
前記通信制御手段を介して複数の宛先に同一の情報を送信する同報送信手段と、
前記出力設定手段により通信結果に基づいて通信情報を出力する出力内容の設定がされているときに前記同報送信手段により同報送信を行い前記不達検出手段により不達が検出された場合、前記記憶手段から当該同報送信を行った宛先に関して前記検出手段により検出された宛先のなかに通信結果が不達となった宛先があるときには設定された前記出力内容に基づいて不達レポートに出力する宛先を決定し、当該決定された各宛先の通信結果に基づいて対応する通信情報を前記記憶手段から読み出して前記出力手段により出力させる不達レポート制御手段と、を備えることを特徴とする通信装置。
【請求項２】
前記出力内容の設定が前記同報送信を行った全ての宛先の通信情報を不達レポートに出力する設定であった場合は、前記不達レポート制御手段は、前記検出手段により検出された各宛先の通信結果に基づいて出力する順番を決定し、各宛先に対応する通信情報を前記記憶手段から読み出して当該決定された順番に基づいて前記出力手段により出力させることを特徴とする請求項１に記載の通信装置。
【請求項３】
前記出力内容の設定が前記同報送信を行った宛先のうち通信結果が不達となった宛先の通信情報のみを不達レポートに出力する設定であった場合は、前記不達レポート制御手段は、前記検出された各宛先の通信結果が不達となった宛先を前記検出手段により検出させ、当該不達となった宛先として検出された各宛先に対応する通信情報を前記記憶手段から読み出して前記出力手段から出力させることを特徴とする請求項１に記載の通信装置。
【請求項４】
前記不達レポート制御手段は、前記通信結果が不達となった宛先は不達となった理由に基づいて出力する順序を決定することを特徴とする請求項２または３に記載の通信装置。
【請求項５】
複数の宛先に同一の情報を送信する同報送信機能を有し、同報送信の通信結果を不達レポートとして出力する通信装置において、
同報送信による前記複数の宛先を、送信が成功した宛先と送信が不達となった宛先とに区別して並べ替えて前記不達レポートに出力することを特徴とする通信装置。
【請求項６】
複数の宛先に同一の情報を送信する同報送信機能を有し、同報送信の通信結果を不達レポートとして出力する通信装置において、
同報送信による前記複数の宛先のうち、送信が不達となった宛先のみを前記不達レポートに出力することを特徴とする通信装置。
【請求項７】
前記送信が不達となった宛先を、不達となった理由に基づいて並べ替えて前記不達レポートに出力することを特徴とする請求項５または６に記載の通信装置。
【請求項８】
所定の通信制御手順により通信する通信制御手段と、前記通信制御手段により行われた通信に関する通信情報を通信毎に記憶する記憶手段と、前記記憶手段に記憶された通信情報を出力する出力手段と、前記通信情報の通信結果が不達となった宛先がある場合に出力される不達レポートの出力内容の設定を行う出力設定手段とを有する通信装置が備えるコンピュータにインストールされ、前記コンピュータに、
前記記憶手段に記憶された通信情報の中から指定された情報を含む宛先情報を検出する検出機能と、
前記通信情報の通信結果に不達があるかを検出する不達検出機能と、
前記通信制御手段を介して複数の宛先に同一の情報を送信する同報送信機能と、
前記出力設定手段により通信結果に基づいて通信情報を出力する出力内容の設定がされているときに前記同報送信機能により同報送信を行い前記不達検出機能により不達が検出された場合、前記記憶手段から当該同報送信を行った宛先に関して前記検出機能により検出された宛先のなかに通信結果が不達となった宛先があるときには設定された前記出力内容に基づいて不達レポートに出力する宛先を決定し、当該決定された各宛先の通信結果に基づいて対応する通信情報を前記記憶手段から読み出して前記出力手段により出力させる不達レポート制御機能と、を実行させるプログラム。
【請求項９】
前記出力内容の設定が前記同報送信を行った全ての宛先の通信情報を不達レポートに出力する設定であった場合は、前記不達レポート制御機能は、前記検出機能により検出された各宛先の通信結果に基づいて出力する順番を決定し、各宛先に対応する通信情報を前記記憶手段から読み出して当該決定された順番に基づいて前記出力手段により出力させることをコンピュータに実行させる請求項８に記載のプログラム。
【請求項１０】
前記出力内容の設定が前記同報送信を行った宛先のうち通信結果が不達となった宛先の通信情報のみを不達レポートに出力する設定であった場合は、前記不達レポート制御機能は、前記検出された各宛先の通信結果が不達となった宛先を前記検出機能により検出させ、当該不達となった宛先として検出された各宛先に対応する通信情報を前記記憶手段から読み出して前記出力手段から出力させることをコンピュータに実行させる請求項８に記載のプログラム。
【請求項１１】
前記不達レポート制御機能は、前記通信結果が不達となった宛先は不達となった理由に基づいて出力する順序を決定することをコンピュータに実行させる請求項９または１０に記載のプログラム。
【請求項１２】
請求項８ないし１１の何れか一に記載のプログラムを格納したコンピュータ読取り可能な記憶媒体。
【手続補正３】
【補正対象書類名】明細書
【補正対象項目名】０００１
【補正方法】変更
【補正の内容】
【０００１】
【発明の属する技術分野】
本発明は、通信装置、プログラムおよび記憶媒体に関する。
【手続補正４】
【補正対象書類名】明細書
【補正対象項目名】０００８
【補正方法】変更
【補正の内容】
【０００８】
そこで、本発明は、同報送信に関する通信の不達レポートを出力する場合においても、不達となった宛先を容易に確認することのできる通信装置を提供することを目的とする。
【手続補正５】
【補正対象書類名】明細書
【補正対象項目名】０００９
【補正方法】変更
【補正の内容】
【０００９】
【課題を解決するための手段】
請求項１記載の通信装置は、所定の通信制御手順により通信する通信制御手段と、前記通信制御手段により行われた通信に関する通信情報を通信毎に記憶する記憶手段と、前記記憶手段に記憶された通信情報を出力する出力手段と、前記通信情報の通信結果が不達となった宛先がある場合に出力される不達レポートの出力内容の設定を行う出力設定手段と、前記記憶手段に記憶された通信情報の中から指定された情報を含む宛先情報を検出する検出手段と、前記通信情報の通信結果に不達があるかを検出する不達検出手段と、前記通信制御手段を介して複数の宛先に同一の情報を送信する同報送信手段と、前記出力設定手段により通信結果に基づいて通信情報を出力する出力内容の設定がされているときに前記同報送信手段により同報送信を行い前記不達検出手段により不達が検出された場合、前記記憶手段から当該同報送信を行った宛先に関して前記検出手段により検出された宛先のなかに通信結果が不達となった宛先があるときには設定された前記出力内容に基づいて不達レポートに出力する宛先を決定し、当該決定された各宛先の通信結果に基づいて対応する通信情報を前記記憶手段から読み出して前記出力手段により出力させる不達レポート制御手段と、を備えることを特徴とする。
【手続補正６】
【補正対象書類名】明細書
【補正対象項目名】００１０
【補正方法】変更
【補正の内容】
【００１０】
請求項２記載の発明は、請求項１に記載の通信装置において、前記出力内容の設定が前記同報送信を行った全ての宛先の通信情報を不達レポートに出力する設定であった場合は、前記不達レポート制御手段は、前記検出手段により検出された各宛先の通信結果に基づいて出力する順番を決定し、各宛先に対応する通信情報を前記記憶手段から読み出して当該決定された順番に基づいて前記出力手段により出力させることを特徴とする。
【手続補正７】
【補正対象書類名】明細書
【補正対象項目名】００１１
【補正方法】変更
【補正の内容】
【００１１】
請求項３記載の発明は、請求項１に記載の通信装置において、前記出力内容の設定が前記同報送信を行った宛先のうち通信結果が不達となった宛先の通信情報のみを不達レポートに出力する設定であった場合は、前記不達レポート制御手段は、前記検出された各宛先の通信結果が不達となった宛先を前記検出手段により検出させ、当該不達となった宛先として検出された各宛先に対応する通信情報を前記記憶手段から読み出して前記出力手段から出力させることを特徴とする。
【手続補正８】
【補正対象書類名】明細書
【補正対象項目名】００１２
【補正方法】変更
【補正の内容】
【００１２】
請求項４記載の発明は、請求項２または３に記載の通信装置において、前記不達レポート制御手段は、前記通信結果が不達となった宛先は不達となった理由に基づいて出力する順序を決定することを特徴とする。
【手続補正９】
【補正対象書類名】明細書
【補正対象項目名】００１３
【補正方法】変更
【補正の内容】
【００１３】
請求項５記載の発明の通信装置は、複数の宛先に同一の情報を送信する同報送信機能を有し、同報送信の通信結果を不達レポートとして出力する通信装置において、同報送信による前記複数の宛先を、送信が成功した宛先と送信が不達となった宛先とに区別して並べ替えて前記不達レポートに出力することを特徴とする。
【手続補正１０】
【補正対象書類名】明細書
【補正対象項目名】００１４
【補正方法】変更
【補正の内容】
【００１４】
請求項６記載の発明の通信装置は、複数の宛先に同一の情報を送信する同報送信機能を有し、同報送信の通信結果を不達レポートとして出力する通信装置において、同報送信による前記複数の宛先のうち、送信が不達となった宛先のみを前記不達レポートに出力することを特徴とする。
【手続補正１１】
【補正対象書類名】明細書
【補正対象項目名】００１５
【補正方法】変更
【補正の内容】
【００１５】
請求項７記載の発明は、請求項５または６に記載の通信装置において、前記送信が不達となった宛先を、不達となった理由に基づいて並べ替えて前記不達レポートに出力することを特徴とする。
【手続補正１２】
【補正対象書類名】明細書
【補正対象項目名】００１６
【補正方法】変更
【補正の内容】
【００１６】
請求項８記載の発明のプログラムは、所定の通信制御手順により通信する通信制御手段と、前記通信制御手段により行われた通信に関する通信情報を通信毎に記憶する記憶手段と、前記記憶手段に記憶された通信情報を出力する出力手段と、前記通信情報の通信結果が不達となった宛先がある場合に出力される不達レポートの出力内容の設定を行う出力設定手段とを有する通信装置が備えるコンピュータにインストールされ、前記コンピュータに、前記記憶手段に記憶された通信情報の中から指定された情報を含む宛先情報を検出する検出機能と、前記通信情報の通信結果に不達があるかを検出する不達検出機能と、前記通信制御手段を介して複数の宛先に同一の情報を送信する同報送信機能と、前記出力設定手段により通信結果に基づいて通信情報を出力する出力内容の設定がされているときに前記同報送信機能により同報送信を行い前記不達検出機能により不達が検出された場合、前記記憶手段から当該同報送信を行った宛先に関して前記検出機能により検出された宛先のなかに通信結果が不達となった宛先があるときには設定された前記出力内容に基づいて不達レポートに出力する宛先を決定し、当該決定された各宛先の通信結果に基づいて対応する通信情報を前記記憶手段から読み出して前記出力手段により出力させる不達レポート制御機能と、を実行させる。
【手続補正１３】
【補正対象書類名】明細書
【補正対象項目名】００７４
【補正方法】変更
【補正の内容】
【００７４】
また、本発明の通信装置としては、ファクシミリ機能を主としたものに限らず、いわゆる複合機等であってもよく、要は、同報送信機能及び印字等の出力機能を備える機器であれば同様に適用することができる。